【事件の表示】
　特願２００３−４１３７０７「サーバーシステム」拒絶査定不服審判事件〔平成１７年　５月１９日出願公開、特開２００５−１２８４６６〕について、次のとおり審決する。
【結　論】
　本件審判の請求は、成り立たない。
【理　由】
第１　手続の経緯
　本願は、平成１５年１２月１１日（優先権主張平成１５年１０月３日）の出願であって、平成１７年１２月２６日に手続補正がなされ、平成１８年７月６日付けで拒絶査定がなされ、これに対して、同年８月１０日に拒絶査定不服審判が請求されるとともに、同年９月１１日に手続補正がなされ、当審において、平成２１年３月１３日付けで拒絶の理由が通知され、同年５月１８日に手続補正がなされ、同年６月２２日付けで拒絶の理由（以下「当審拒絶理由」という。）が通知され、同年８月２４日に手続補正がなされたものである。
　
第２　本願発明
　平成２１年８月２４日付け手続補正により補正された特許請求の範囲、明細書及び図面の記載からみて、その特許請求の範囲の請求項１係る発明（以下「本願発明」という。）は次のとおりのものであると認める。
「ネットワークを介して、コンピュータからなるコンテンツ送り側端末とコンピュータからなるコンテンツ受け側端末とに接続されるとともに、コンピュータからなり情報処理を行うプロセッサを備えたサーバーと、情報を格納するメモリと、ウェブアプリケーションソフトウェアとを有し、コンテンツ送り側端末とコンテンツ受け側端末との間でのコンテンツのやり取りをサポートするサーバーシステムであって、
　サーバーの一部をなし、それぞれメモリ内に格納されている申込又は質問に対する回答を要求する内容のコンテンツを作成・編集するためのアプリケーションと、上記回答の正解・不正解の判定のための採点ロジックを含む上記回答の評価基準を作成するためのアプリケーションとを読み出してコンテンツ送り側端末に送信するコンテンツ作成・編集アプリケーション提供部と、
　サーバーの一部をなし、コンテンツ送り側端末で作成・編集されたコンテンツ及び評価基準をコンテンツ送り側端末から受信してメモリ内に格納するコンテンツ格納部と、
　サーバーの一部をなし、メモリ内に格納されているコンテンツ及び評価基準を読み出してコンテンツ受け側端末に配信するコンテンツ配信部と、
　サーバーの一部をなし、メモリ内に格納されている上記コンテンツに対して所定の閲覧操作又は回答操作を実行させるためのアプリケーションを読み出してコンテンツ受け側端末に送信する回答操作実行アプリケーション提供部と、
　サーバーの一部をなし、メモリ内に格納されている上記回答操作の実行結果をコンテンツ受け側端末において上記評価基準で評価させるためのアプリケーションを読み出してコンテンツ受け側端末に送信する回答結果評価アプリケーション提供部と、
　サーバーの一部をなし、コンテンツ受け側端末から上記回答操作の実行結果を受信してサーバーシステム側において上記評価基準で上記回答操作の実行結果を評価する評価実行部と、
　サーバーの一部をなし、評価実行部により実行された上記評価の結果をメモリ内に格納する評価結果格納部と、
　サーバーの一部をなし、コンテンツ送り側端末で作成・編集されたコンテンツを用いて課題、正解、評価基準等を作成させるアプリケーションをコンテンツ受け側端末に送信する課題・評価基準作成アプリケーション提供部とを備えていることを特徴とするサーバーシステム。」
　
第３　引用例
　当審拒絶理由に引用された本願の優先日前に頒布された刊行物である特開２００３−８５０７５号公報（以下「引用例１」という。）には次の事項が図と共に記載されている。
　
１　「【００５２】（実施の形態１）図１は、本発明の第１の実施例における
双方向通信システム
【００５３】図１において、
サーバー装置１０１はＷｅｂサーバーであり、情報コンテンツの管理やクライアント端末装置へのコンテンツ提供・配信を行い、クライアント端末装置１０２ａ〜１０２ｄはパーソナルコンピュータ、
サーバー装置１０１が提供する情報コンテンツの受信、それらの表示、サーバー装置との相互通信及び、Ｊａｖａ言語やそれに類する言語で開発されたプログラムを実行することができるＪａｖａ実行環境などを有する
サーバー装置１０１とクライアント端末装置１０２との間で相互通信可能であり
ネットワーク
【００５４】以上のように構成された双方向通信システムについて、その動作と作用を説明する。
【００５５】
サーバー装置１０１は、クライアント端末装置１０２がダウンロードできるようにデータ送信プログラムをＷｅｂサイトに公開
サーバー装置１０１が提供するサービスに関連した、データ送信を実行するために必要なモジュールであり、クライアント端末装置１０２において実行され
【００５６】
クライアント端末装置１０２がダウンロードしたデータ送信プログラムを実行すると、クライアント端末装置１０２のディスプレイにデータ入力フォームあるいは、データ入力グラフィカル・ユーザー・インターフェース（以下、「ＧＵＩ」と記す。）が提示される
【００５７】次に、サーバー装置１０１とクライアント端末装置１０２の構成および、動作・作用を詳細に説明する。
【００５８】図３は、サーバー装置１０１のブロック構成図である。図中の矢印はデータの流れを示すものであり、制御線は図示していない。
【００５９】通信部３０２は、双方向通信部３１０を有し、ネットワークを介してクライアント端末装置１０２との間の相互通信を行う。
【００６０】
コンテンツ送信部３０３は、通信部３０２を介して、ＨＴＭＬ(Hyper Text Markup Language) 等のマークアップ言語で記述されたコンテンツや、ストリームデータをクライアント端末装置１０２に提供する
【００６１】
モジュール送信部３０４は、データ送信プログラムをクライアント端末装置１０２に送信す
【００６２】また、制御ルール１３０５とは、上り方向のデータ送信の制御方法を記述したプログラムである。またこの他、データ送信プログラムは、データ入力フォーム表示用スクリプトである端末入力情報１３０１を取得するためのプログラムを有している。
【００６３】
データ受信部３０５は、通信部３０２を介して、クライアント端末装置１０２からの上り方向のデータを受信する
【００６４】通信制御部３０６は、クライアント端末装置１０２との間の通信を制御し、クライアント端末装置１０２を制御するための制御メッセージの生成や、クライアント端末装置１０２へ制御メッセージの送信や、データ受信部３０５を介してクライアント端末装置１０２から受信したデータの解析を行う。ここで制御メッセージとは、データ送信プログラムが有するのと同様の端末入力情報リスト１３０１と制御ルール１３０２とが記述されているものである。また、通信制御３０６は、受信データの解析結果を基にして、新たに制御メッセージを生成する機能や、外部ハードウェアや他のプログラムとの連携処理を行うためのインタフェースも有している。
【００６５】
蓄積部３０７は、情報コンテンツの蓄積・管理を行い、クライアント端末装置１０２に提供する情報コンテンツやクライアント端末装置１０２から受信したデータ等を蓄積し管理す
【００６６】
設定部３０８は、
管理者が操作するためのＧＵＩを有する
入力された情報は、通信制御部３０６へ出力され
通信制御部３０６から取得した情報は、設定部３０８のGUIを介して管理者に提示され
【００６７】
コンテンツ生成３０９は、クライアント端末装置１０２から受信したデータを再配信する。
また、コンテンツ生成部３０９は、外部より取得した映像データや音声データをコンテンツ送信部３０３に供給する機能も有する。
【００６８】双方向通信部３１０は、クライアント端末装置１０２からの上り方向データを受信し、データ受信部３０５を介して、受信データを通信制御部３０６や蓄積部３０７、コンテンツ生成部３０９へ出力する。また、双方向通信部３１０は、下り方向、すなわち、クライアント端末装置１０２へのＨＴＭＬファイル等の情報コンテンツの送出や、制御メッセージおよびデータ送信プログラムの送信を行う。
【００６９】なお、図３に示す設定部３０８と通信制御部３０６を除く各部は、設定部３０８や通信制御部３０６によって制御される。
【００７０】サーバー装置１０１は、ハードウェア装置であっても、
ハードウェア装置とソフトウェアプログラムを組み合わせたシステム
パーソナルコンピュータやワークステーション
【００７１】次に、サーバー装置１０１の動作について図５、図６及び、図７を用いて説明する。このサーバー装置１０１の行う主な動作は、データ送信プログラムの作成処理と、要求のあったクライアント端末装置１０２へのデータ送信プログラムの送信処理と、制御メッセージの更新とその送信処理である。
【００７２】図５はデータ送信プログラムの作成処理の動作を示す流れ図である。
【００７３】まず、設定部３０８に端末入力情報リストに設定するユーザに対する設問やユーザの個人情報などのデータ項目、クライアント端末装置１０２のディスプレイに表示するデータ入力フォームを生成するためのデータ（ＨＴＭＬやスクリプト言語などで記述されたデータ）および、制御ルールを作成するためのユーザ入力データに対する処理を記述したデータ、もしくは、プログラム及び、上り方向のデータ送信を実行する時刻の決定方法（算出方法）などの基礎情報を入力する（ステップＳ５０１）。
【００７４】次に、ステップＳ５０１で取得した情報を基にして、端末入力情報リストと制御ルールを作成する（ステップＳ５０２）。
【００７５】次に、ステップＳ５０２で作成した端末入力情報リスト、および、制御ルールを埋め込んだデータ送信プログラムを作成する（ステップＳ５０３）。データ送信プログラムは、Ｊａｖａ言語等のプログラム言語で作成されたプログラムであり、クライアント端末装置１０２において実行される。
【００７６】次に、ステップＳ５０３で
作成したデータ送信プログラムを、蓄積部３０７に保存する
…略…
【００８２】次に、
モジュール送信部３０４は、モジュール送信要求を送ってきたクライアント端末装置１０２へデータ送信プログラムを送信する
…略…
【００９９】次に、クライアント端末装置１０２について説明する。
【０１００】
図４は、クライアント端末装置１０２のブロック構成図
【０１０１】通信部４０２は、双方向通信部４１０を有するネットワーク１０３を介してサーバー装置１０１との間の相互通信を行う。
【０１０２】
コンテンツ受信部４０３は、通信部４０２を介してサーバー装置１０１から情報コンテンツとしてＨＴＭＬやＸＭＬなどで記述されたデータファイルやストリームデータを受信す
【０１０３】表示部４０４は、受信した情報コンテンツの解析処理や、復号処理、表示処理を実行し、コンテンツ受信部４０３から情報コンテンツを取得し、これを表示する。
【０１０４】
モジュール受信部４０５は、サーバー装置１０１からデータ送信プログラムをダウンロードする
【０１０５】
蓄積部４０６は、サーバー装置１０１より受信したデータの蓄積・管理を行い、モジュール受信部４０５が受信したデータ送信プログラムを一時的に保存したり、コンテンツ受信部４０３が受信した情報コンテンツを蓄積する
【０１０６】通信制御部４０７は、蓄積部４０６からデータ送信プログラムを読み込むことにより、上り方向のデータ送信の制御を行う。また、通信制御部４０７はサーバー装置１０１が送信してくる制御メッセージを受信し、データ送信プログラムの制御入力情報リストや制御ルールなどを更新する。
【０１０７】
コンテンツ生成部４０８は、サーバー装置１０１へ送信する映像データや音声データを生成する。また、コンテンツ生成部４０８は、映像や音声の解析処理機能を有し、データ解析結果を出力できるし、あるいは、外部からデータを取得するも可能であ
【０１０８】操作部４０９は、ユーザからのデータ入力を受付け、通信制御部４０７へ出力する。また、操作部４０９はデータ表示用ディスプレイを有し、データ送信プログラムに含まれたデータ入力フォーム（データ入力用GUIと同義）を生成するためのスクリプトなどのデータ入力フォームデータを解析し、ユーザに対してデータ入力フォームを表示する。ユーザがデータ入力フォームに入力した情報は、通信制御部４０７で実行されているデータ送信プログラムに入力される。
【０１０９】
双方向通信部４１０は、通信制御部４０７からのデータをサーバー装置１０１へ送信する。また、双方向通信部４１０は、サーバー装置１０１から受信した情報コンテンツや、制御メッセージ、データ送信プログラムを、コンテンツ受信部４０３、通信制御部４０７、モジュール受信部４０５へ出力する
【０１１０】
クライアント端末装置１０２は、
ハードウェア装置とソフトウェアプログラムを組み合わせた
パーソナルコンピュータ
あ
　
２　上記１の記載から、引用例１には次の発明（以下「引用発明」という。）が記載されているものと認められる。
　
「Ｗｅｂサーバーである、情報コンテンツの管理やクライアント端末装置へのコンテンツ提供・配信を行うサーバー装置と、該サーバー装置が提供する情報コンテンツの受信、それらの表示、サーバー装置との相互通信及び、Ｊａｖａ言語やそれに類する言語で開発されたプログラムを実行することができるＪａｖａ実行環境などを有するパーソナルコンピュータである複数のクライアント端末装置と、前記サーバー装置と前記クライアント端末装置との間で相互通信可能であるネットワークとから構成される双方向通信システムであって、
　前記サーバー装置はハードウェア装置とソフトウェアプログラムを組み合わせたパーソナルコンピュータやワークステーションであって、該サーバ装置は、クライアント端末装置において実行されるプログラムであって、該サーバー装置が提供するサービスに関連した、データ送信を実行するために必要なモジュールであるデータ送信プログラムを、作成し、蓄積部に保存し、クライアント端末装置がダウンロードできるようにＷｅｂサイトに公開し、該データ送信プログラムをクライアント端末装置がダウンロードし実行すると、該クライアント端末装置のディスプレイにデータ入力フォームあるいは、データ入力グラフィカル・ユーザー・インターフェース（以下「ＧＵＩ」と記す。）が提示され、
　前記サーバー装置において、コンテンツ送信部は、通信部を介して、ＨＴＭＬ(Hyper Text Markup Language) 等のマークアップ言語で記述されたコンテンツや、ストリームデータをクライアント端末装置に提供し、モジュール送信部は、前記データ送信プログラムをモジュール送信要求を送ってきたクライアント端末装置に送信し、データ受信部は、通信部を介して、クライアント端末装置からの上り方向のデータを受信し、蓄積部は、情報コンテンツの蓄積・管理を行い、クライアント端末装置に提供する情報コンテンツやクライアント端末装置から受信したデータ等を蓄積し管理し、設定部は、管理者が操作するためのＧＵＩを有し、このＧＵＩを介して、入力された情報は通信制御部へ出力され、通信制御部から取得した情報は管理者に提示され、コンテンツ生成部は、クライアント端末装置から受信したデータを再配信し、外部より取得した映像データや音声データをコンテンツ送信部に供給する機能も有し、
　前記クライアント端末装置は、ハードウェア装置とソフトウェアプログラムを組み合わせたパーソナルコンピュータであって、
　前記クライアント端末装置において、コンテンツ受信部は、通信部を介してサーバー装置から情報コンテンツとしてＨＴＭＬやＸＭＬなどで記述されたデータファイルやストリームデータを受信し、モジュール受信部は、サーバー装置からデータ送信プログラムをダウンロードし、蓄積部は、サーバー装置より受信したデータの蓄積・管理を行い、モジュール受信部が受信したデータ送信プログラムを一時的に保存したり、コンテンツ受信部が受信した情報コンテンツを蓄積し、コンテンツ生成部は、サーバー装置へ送信する映像データや音声データを生成し、映像や音声の解析処理機能を有し、データ解析結果を出力でき、外部からデータを取得するも可能であり、双方向通信部は、通信制御部からのデータをサーバー装置へ送信し、サーバー装置から受信した情報コンテンツや、制御メッセージ、データ送信プログラムを、コンテンツ受信部、通信制御部、モジュール受信部へ出力する、双方向通信システム。」
　
第４　対比
　本願発明と引用発明とを対比する。
１　引用発明の「ネットワーク」、「パーソナルコンピュータやワークステーション」、「パーソナルコンピュータである複数のクライアント端末装置」、「『パーソナルコンピュータやワークステーションであ』って『Ｗｅｂサーバーである』『サーバー装置』」、「『サーバー装置』において、『情報コンテンツの蓄積・管理を行い、クライアント端末装置に提供する情報コンテンツやクライアント端末装置から受信したデータ等を蓄積し管理』する『蓄積部』」、「Ｗｅｂサーバー」、「『コンテンツ』及び『映像データや音声データ』」、「双方向通信」及び「前記サーバー装置と前記クライアント端末装置との間で相互通信可能であるネットワークとから構成される双方向通信システム」は、それぞれ、本願発明１の「ネットワーク」、「コンピュータ」、「『コンピュータからなるコンテンツ送り側端末』及び『コンピュータからなるコンテンツ受け側端末』」、「コンピュータからなり情報処理を行うプロセッサを備えたサーバー」、「情報を格納するメモリ」、「『ウェブアプリケーションソフトウェア』を有する『サーバー』」、「コンテンツ」、「やり取りをサポートする」及び「サーバーシステム」に相当する。
　
２　引用発明の「サーバーシステム（双方向通信システム）」は、「Ｗｅｂサーバーである（ウェブアプリケーションソフトウェアとを有し）、ハードウェア装置とソフトウェアプログラムを組み合わせたパーソナルコンピュータやワークステーションであるサーバー装置（コンピュータからなり情報処理を行うプロセッサを備えたサーバー）と、該サーバー装置が提供する情報コンテンツの受信、それらの表示、サーバー装置との相互通信及び、サーバー装置へ映像データや音声データを送信するパーソナルコンピュータである複数のクライアント端末装置（コンピュータからなるコンテンツ送り側端末とコンピュータからなるコンテンツ受け側端末）と、前記サーバー装置（サーバー）と前記複数のクライアント端末装置（コンテンツ送り側端末とコンテンツ受け側端末）との間で相互通信可能であるネットワーク」とから構成され、「前記サーバー装置（サーバー）」において、「蓄積部（メモリ）は、情報コンテンツの蓄積・管理を行い、クライアント端末装置に提供する情報コンテンツやクライアント端末装置から受信したデータ等を蓄積し管理（情報を格納）」し、クライアント端末装置からデータ（コンテンツ）を受信し、情報コンテンツの管理やクライアント端末装置へのコンテンツ提供・配信を行う（コンテンツ送り側端末とコンテンツ受け側端末との間でのコンテンツのやり取りをサポートする）から、本願発明の「サーバーシステム」と、「ネットワークを介して、コンピュータからなるコンテンツ送り側端末とコンピュータからなるコンテンツ受け側端末とに接続されるとともに、コンピュータからなり情報処理を行うプロセッサを備えたサーバーと、情報を格納するメモリと、ウェブアプリケーションソフトウェアとを有し、コンテンツ送り側端末とコンテンツ受け側端末との間でのコンテンツのやり取りをサポートする」点で一致する。
　
３　引用発明の「サーバ装置」は、「クライアント端末装置において実行されるプログラムであって、該サーバー装置が提供するサービスに関連した、データ送信を実行するために必要なモジュールであるデータ送信プログラムを、作成し、蓄積部に保存し、クライアント端末装置がダウンロードできるようにＷｅｂサイトに公開」するものであり、該サーバ装置の「モジュール送信部」は、「前記データ送信プログラムをモジュール送信要求を送ってきたクライアント端末装置に送信」するものであるから、引用発明は、本願発明の「サーバーの一部をなし、メモリ内に格納されているアプリケーションを読み出してコンテンツ送り側端末及びコンテンツ受け側端末に送信するアプリケーション提供部」を備えている。
　
４　引用発明の「クライアント端末装置」の「コンテンツ生成部」は、「サーバー装置へ送信する映像データや音声データを生成」し、引用発明の「サーバ装置」の「蓄積部」は、「クライアント端末装置から受信したデータ等を蓄積」するから、引用発明の「サーバー（サーバ装置）」は、本願発明の「サーバーの一部をなし、コンテンツ送り側端末で作成・編集されたコンテンツをコンテンツ送り側端末から受信してメモリ内に格納するコンテンツ格納部」との事項を備えている。
　
５　引用発明の「サーバ装置」の「蓄積部」は、「情報コンテンツの蓄積・管理を行い、クライアント端末装置に提供する情報コンテンツを蓄積し管理」し、引用発明の「サーバ装置」の「コンテンツ送信部」は、「通信部を介して、ＨＴＭＬ(Hyper Text Markup Language) 等のマークアップ言語で記述されたコンテンツや、ストリームデータをクライアント端末装置に提供」するから、本願発明の「サーバーの一部をなし、メモリ内に格納されているコンテンツを読み出してコンテンツ受け側端末に配信するコンテンツ配信部」との事項を備えている。
　
６　上記１ないし５から、本願発明と引用発明とは、
「ネットワークを介して、コンピュータからなるコンテンツ送り側端末とコンピュータからなるコンテンツ受け側端末とに接続されるとともに、コンピュータからなり情報処理を行うプロセッサを備えたサーバーと、情報を格納するメモリと、ウェブアプリケーションソフトウェアとを有し、コンテンツ送り側端末とコンテンツ受け側端末との間でのコンテンツのやり取りをサポートするサーバーシステムであって、
　サーバーの一部をなし、メモリ内に格納されているアプリケーションを読み出してコンテンツ送り側端末及びコンテンツ受け側端末に送信するアプリケーション提供部と、
　サーバーの一部をなし、コンテンツ送り側端末で作成・編集されたコンテンツをコンテンツ送り側端末から受信してメモリ内に格納するコンテンツ格納部と、
　サーバーの一部をなし、メモリ内に格納されているコンテンツを読み出してコンテンツ受け側端末に配信するコンテンツ配信部とを備えているサーバーシステム。」の点で一致し、次の点で相違する。
　
相違点１：
　前記アプリケーション提供部が、本願発明においては、「それぞれメモリ内に格納されている申込又は質問に対する回答を要求する内容のコンテンツを作成・編集するためのアプリケーションと、上記回答の正解・不正解の判定のための採点ロジックを含む上記回答の評価基準を作成するためのアプリケーションとを読み出してコンテンツ送り側端末に送信するコンテンツ作成・編集アプリケーション提供部」と、「メモリ内に格納されている上記コンテンツに対して所定の閲覧操作又は回答操作を実行させるためのアプリケーションを読み出してコンテンツ受け側端末に送信する回答操作実行アプリケーション提供部」と、「メモリ内に格納されている上記回答操作の実行結果をコンテンツ受け側端末において上記評価基準で評価させるためのアプリケーションを読み出してコンテンツ受け側端末に送信する回答結果評価アプリケーション提供部」と、「コンテンツ送り側端末で作成・編集されたコンテンツを用いて課題、正解、評価基準等を作成させるアプリケーションをコンテンツ受け側端末に送信する課題・評価基準作成アプリケーション提供部」とからなるものであるのに対して、引用発明においては、そのようなものではない点。
　
相違点２：
　前記サーバーについて、本願発明では、「コンテンツ受け側端末から上記回答操作の実行結果を受信してサーバーシステム側において上記評価基準で上記回答操作の実行結果を評価する評価実行部」及び「評価実行部により実行された上記評価の結果をメモリ内に格納する評価結果格納部」がその一部をなしているのに対して、引用発明では、そうなっていない点。
　
相違点３：
　前記コンテンツ送り側端末で作成・編集され、前記コンテンツ格納部がコンテンツ送り側端末から受信してメモリ内に格納し、前記コンテンツ配信部がメモリから読み出してコンテンツ受け側端末に配信するコンテンツが、本願発明では「評価基準」を含んでいるのに対して、引用発明ではそうではない点。
　
第５　判断
　上記相違点１ないし３について検討する。
１　相違点１及び３について
　引用発明の「サーバーシステム」は、「アプリケーションをコンテンツ送り側端末及びコンテンツ受け側端末に提供するアプリケーション提供部」を備えているところ、どのようなアプリケーションをサーバーシステムを用いて端末に提供するかは、「サーバーシステム」を利用する者がその利用目的に応じて適宜決定すべきことである。
　しかるところ、当審拒絶理由に引用された特開２００３−１７３１３１号公報（以下「引用例２」という。）には、コンピュータ画面上での問題テンプレートの作成を支援するテンプレート作成支援手段（【請求項２】、【００３８】〜【００５６】参照。本願発明の「申込又は質問に対する回答を要求する内容のコンテンツを作成・編集するためのアプリケーション」に相当する。）及び、このパターンの問題テンプレートは、…略…正解についても、答えを算出するための式を上記記号を用いて作成するように構成されたものであること（【００４６】参照。このことは、【００６４】の「正解と比較し受講者からの解答の正誤を判定する」との記載に照らせば、本願発明の「上記回答の正解・不正解の判定のための採点ロジックを含む上記回答の評価基準を作成するためのアプリケーション」に相当する。）について記載されており、同じく特開２００２−２３６１０号公報（以下「引用例３」という。【００２８】参照。）及び同じく特開２００３−５８０３４号公報（以下「引用例４」という。【００３３】参照。）には、受験アプリケーションについて、同じく特開２００３−２４８６４０号公報（以下「引用例５」という。【００２６】〜【００３２】参照。）には、スクリプト再生プログラムについて、同じく特開２００３−９１４７２号公報（以下「引用例６」という。【００８０】参照。）には、配信されたコンテンツを視聴するためのアプリケーション・プログラムについて、それぞれ記載されており（いずれも、本願発明の「コンテンツ受け側端末に配信されたコンテンツに対して所定の閲覧操作又は回答操作を実行させるためのアプリケーション」に相当する。）、上記引用例４には、採点処理アプリケーション（【００６０】参照。本願発明の「上記回答操作の実行結果をコンテンツ受け側端末で評価させるためのアプリケーション」に相当する。）について記載されていることに照らせば、引用発明を、申込又は質問に対する回答を要求することに用い、上記相違点１に係るアプリケーションをメモリ内に格納し提供できるようになして上記相違点１に係る本願発明の構成を備えるようになすことは、当業者が適宜なし得た程度のことである。
　また、「上記回答の正解・不正解の判定のための採点ロジックを含む上記回答の評価基準を作成するためのアプリケーション」をコンテンツ送り側端末に送信するようになした際には、コンテンツ送り側端末で作成・編集され、前記コンテンツ格納部がコンテンツ送り側端末から受信してメモリ内に格納し、前記コンテンツ配信部がメモリから読み出してコンテンツ受け側端末に配信するコンテンツに、評価基準を含ませることは、当業者が適宜なし得た程度のことである。よって、引用発明において、上記相違点１及び３に係る本願発明の構成となすことは、当業者が容易になし得た程度のことである。
　
２　相違点２について
　回答結果の評価をコンピュータに行わせること及びその評価の結果をコンピュータのメモリに格納することはごく一般的に行われていることである（例．当審拒絶理由に引用された特開平１０−２７４９１９号公報（以下「引用例７」という。【００１４】、【００１６】、【００２０】及び【００２８】参照。）、同じく特開平１１−２８２８２６号公報（以下「引用例８」という。【００１９】参照。）、上記引用例３（【００７０】、【００７３】及び【００７４】参照。）、上記引用例４（【００６０】参照。））ことからして、引用発明の「サーバーシステム」を、申込又は質問に対する回答を要求することに利用するとともに、サーバーを、「サーバーシステム側で上記回答操作の実行結果を評価する評価実行部」及び「上記評価の結果を格納する評価結果格納部」がその一部をなすようにして上記相違点２に係る本願発明の事項を備えることは、当業者が容易になし得た程度のことである。
　
３　効果について
　本願発明の奏する効果は、引用発明の奏する効果及び引用例２ないし８に記載の事項の奏する効果から当業者が予測できた程度のことである。
　
４　まとめ
　したがって、本願発明は、引用発明及び引用例２ないし８に記載の事項に基づいて当業者が容易に発明をすることができたものである。
　
第６　むすび
　以上のとおり、本願発明は、引用例１に記載された発明及び引用例２ないし８に記載の事項に基づいて当業者が容易に発明をすることができたものであるから、特許法第２９条第２項の規定により特許を受けることができないものである。
　よって、結論のとおり審決する。